(57)【要約】【課題】意匠性に優れ庇の下の空間を有効に使用することが可能な庇ユニットを提供する。【解決手段】建物から張り出して設けられる庇ユニットであって、前記建物に向かって高さが低くなる傾斜を備え前記建物の躯体に取り付けられる梁と、前記梁上に載置される屋根パネルと、前記屋根パネルと前記建物との間に前記建物の外壁面に沿って設けられ上部が開放された樋と、前記屋根パネルより高い位置にて前記建物側に係合され、前記樋の上方を覆って前記梁を支持するカバー部材と、を有する。【選択図】図５
2015140527.tif 000002
【特許請求の範囲】
【請求項１】
建物から張り出して設けられる庇ユニットであって、
前記建物の外壁面に沿って配置され前記建物の躯体に取り付けられる壁側枠と、
前記外壁面と交差する方向に突出させて前記壁側枠に固定される梁と、
前記梁上に載置され前記建物に向かって高さが低くなるように傾斜する屋根パネルと、
前記屋根パネルと前記建物との間に前記建物の外壁面に沿って設けられ上部が開放された樋と、
前記屋根パネルより高い位置にて前記建物側に係合され、前記樋の上方を覆って前記梁を支持するカバー部材と、
を有することを特徴とする庇ユニット。
【請求項２】
請求項１に記載の庇ユニットであって、
前記カバー部材は、前記壁側枠の前記屋根パネルより上方に延出された延出部に係合されていることを特徴とする庇ユニット。
【請求項３】
請求項２に記載の庇ユニットであって、
前記壁側枠は、前記梁の上面が当接される上面当接部と、
前記梁の小口の下部が当接される小口下部当接部と、
を有していることを特徴とする庇ユニット。
【請求項４】
請求項２または請求項３に記載の庇ユニットであって、
前記壁側枠は、前記梁の下面が当接される下面当接部と、
前記梁の小口の上部が当接される小口上部当接部と、
を有していることを特徴とする庇ユニット。
【請求項５】
請求項１乃至請求項４のいずれかに記載の庇ユニットであって、
前記梁は、前記建物側の端部に、当該梁の高さが長手方向における中央側より低い段差部を有し、
前記段差部に前記樋が配置されていることを特徴とする庇ユニット。
【請求項６】
請求項２乃至請求項５のいずれかに記載の庇ユニットであって、
前記樋は、前記壁側枠に設けられていることを特徴する庇ユニット。
【請求項７】
請求項１乃至請求項６のいずれかに記載の庇ユニットであって、
前記側壁枠と連結されて前記樋と連通する竪樋を備え、
前記竪樋は、前記外壁面に沿って設けられるとともに、装飾材に覆われていることを特徴とする庇ユニット。
【発明の詳細な説明】
【技術分野】
【０００１】
本発明は、建物から張り出して設けられる庇ユニットに関する。
【背景技術】
【０００２】
建物から張り出して設けられる庇ユニットとしては、たとえば、玄関ポーチ小屋根軒先部の先端側の両端部を柱体により支持する小屋根（例えば、特許文献１参照）や、庇本体の上方部に、建屋側に取り付けたブラケットに一端が固定されたアーム材の他端を固定した建屋用庇（例えば、特許文献２参照）が知られている。
【先行技術文献】
【特許文献】
【０００３】
【特許文献１】特許第５０１５０８４号公報
【発明の概要】
【発明が解決しようとする課題】
【０００４】
上記の小屋根を支持する柱材は、庇のみを必要とする場所においては本来無用の部材であり、柱材により庇の下の空間が有効に使用できないという課題がある。また、建屋用庇のアーム材は、庇本体を支持するためだけに設けられている部材であり、外部に大きく露出しているため、意匠性を損なうおそれがある。
【０００５】
本発明は、かかる課題に鑑みてなされたものであり、その目的とするところは、意匠性に優れ庇の下の空間を有効に使用することが可能な庇ユニットを提供することにある。
【課題を解決するための手段】
【０００６】
かかる目的を達成するために本発明は、建物から張り出して設けられる庇ユニットであって、建物から張り出して設けられる庇ユニットであって、前記建物の外壁面に沿って配置され前記建物の躯体に取り付けられる壁側枠と、前記外壁面と交差する方向に突出させて前記壁側枠に固定される梁と、前記梁上に載置され前記建物に向かって高さが低くなるように傾斜する屋根パネルと、前記屋根パネルと前記建物との間に前記建物の外壁面に沿って設けられ上部が開放された樋と、前記屋根パネルより高い位置にて前記建物側に係合され、前記樋の上方を覆って前記梁を支持するカバー部材と、を有することを特徴とする庇ユニットである。
【０００７】
このような庇ユニットによれば、屋根パネルが建物に向かって高さが低くなるように傾斜しているので、上部が開放された樋を、屋根パネルと建物との間に建物の外壁面に沿って設けることが可能である。このため、建物の外壁面から離れた位置に竪樋を設ける必要はなく、外壁面に沿わせて目立ちにくい位置に竪樋を配置することが可能である。
【０００８】
また、外壁面に沿って設けられた樋を覆うカバー部材は、屋根パネルより高い位置にて建物側に係合され、樋の上方を覆って梁を支持するので、屋根パネルを支持する部材を別途設けることなくカバー部材により屋根パネルを建物側に支持させることが可能である。また、カバー部材は上部が開放された樋上を覆っているので、樋の長さと同じ幅に設けられており、庇のほぼ全幅に亘って設けられるので、幅広いカバー部材により、高い強度にて庇を支持することが可能である。すなわち、下から支持する柱や上から支持するアーム材のような、庇を支持するだけの部材を外部に露出させて設けることなく、意匠性に優れ庇の下の空間を有効に使用することが可能な庇ユニットを提供することが可能である。
【０００９】
かかる庇ユニットであって、前記カバー部材は、前記壁側枠の前記屋根パネルより上方に延出された延出部に係合されていることが望ましい。
このような庇ユニットによれば、カバー部材は、躯体に取り付けられて梁が固定される壁側枠の、屋根パネルより上方に延出された延出部に係合されているので、建物の外部から容易に取り付けることが可能であり、壁側枠を介してカバー部材を躯体にて支えることが可能である。また、壁側枠は外壁面に沿って配置されているので、カバー部材を外壁面に沿う広い範囲で支えることが可能である。このため、壁側枠を介して躯体に支持されたカバー部材により梁を強固に支持することが可能である。
【００１０】
かかる庇ユニットであって、前記壁側枠は、前記梁の上面が当接される上面当接部と、前記梁の小口の下部が当接される小口下部当接部と、を有していることが望ましい。
このような庇ユニットによれば、例えば積雪などにより庇ユニットに上方から力が作用すると、梁の上面が壁側枠の上面当接部に当接され、梁の小口の下部が壁側枠の小口下部当接部に当接されることにより、梁の先端が下がるような下方への倒れが規制されるので、上方からの荷重に対する高い荷重性能を備えることが可能である。
【００１１】
かかる庇ユニットであって、前記壁側枠は、前記梁の下面が当接される下面当接部と、前記梁の小口の上部が当接される小口上部当接部と、を有していることが望ましい。
このような庇ユニットによれば、例えば突風などにより庇ユニットに下方から力が作用すると、梁の下面が壁側枠の下面当接部に当接され、梁の小口の上部が壁側枠の小口上部当接部に当接されることにより、梁の先端が上昇するような上方への倒れが規制されるので、下方からの荷重に対する高い荷重性能を備えることが可能である。
【００１２】
かかる庇ユニットであって、前記梁は、前記建物側の端部に、当該梁の高さが長手方向における中央側より低い段差部を有し、前記段差部に前記樋が配置されていることが望ましい。
このような庇ユニットによれば、建物に向かって高さが低くなるように傾斜する屋根パネルが載置される梁において、建物側の端部の高さが低い段差部に樋を配置したので、屋根パネル上の雨水等を樋に流入させることが可能である。特に、樋を屋根パネルが載置される梁の中央より低い段差部に配置したので、樋を梁の上にそのまま配置した場合より庇の上下方向における厚みを薄く抑えることが可能である。このため、意匠性に優れた庇ユニットを提供することが可能である。
【００１３】
かかる庇ユニットであって、前記樋は、前記壁側枠に設けられていることが望ましい。
このような庇ユニットによれば、樋は、壁側枠に設けられているので、部材を少なくすることが可能であり、施工が容易で、かつ、部材の管理もし易い庇ユニットを提供することが可能である。
【００１４】
かかる庇ユニットであって、前記側壁枠と連結されて前記樋と連通する竪樋を備え、前記竪樋は、前記外壁面に沿って設けられるとともに、装飾材に覆われていることが望ましい。
このような庇ユニットによれば、側壁枠に連結されている竪樋が、庇ユニットが張り出している外壁面に沿って設けられているので、樋に集められた雨水等を地面側に流す竪樋を、より目立ちにくい外壁面に沿う位置に配置することが可能である。また、竪樋は装飾材に覆われているので外部に露出しない。このため、より意匠性に優れた庇ユニットを提供することが可能である。
【発明の効果】
【００１５】
本発明によれば、意匠性に優れ庇の下の空間を有効に使用することが可能な庇ユニットを提供することが可能である。
【図面の簡単な説明】
【００１６】
【図１】本実施形態の一例である庇ユニットが備えた状態を示す外観図である。
【図２】本実施形態の一例である庇ユニットの外観図である。
【図３】庇ユニットの構成を示す分解斜視図である。
【図４】庇ユニットの側断面図である。
【図５】庇ユニットと建物との取り合い部分を示す側断面図である。
【図６】庇ユニットの前枠側を示す側断面図である。
【図７】後枠と梁との接合部を示す斜視図である。
【図８】側枠および軒天の構成を示す断面図である。
【発明を実施するための形態】
【００１７】
以下、本発明の一実施形態に係る庇ユニットについて図面を参照して説明する。
本実施形態の庇ユニット１は、例えば図１に示すように、建物３に設けられた玄関ドア２の上方の外壁面３ａから屋外側に張り出している。本実施形態の庇ユニット１には、庇ユニット１の下側から外壁面３ａに沿って下方に延びる竪樋が、装飾材をなす縦桟９５内に設けられている。
【００１８】
以下の説明においては、庇ユニット１を、屋外側から玄関ドア２に向かって見たときに、上下となる方向を上下方向、左右となる外壁面３ａに沿う方向を左右方向または外壁面方向、屋内外となる方向を見込み方向として示す。尚、庇ユニット１を構成する各部材は、単体として説明する場合であっても、庇ユニット１と同様に上下方向、左右方向、見込み方向等となる方向にて方向を特定して説明する。
【００１９】
庇ユニット１は、図１〜図４に示すように、建物３の外壁面３ａに沿って配置され建物３の躯体３ｂに取り付けられる壁側枠としての後枠１０と、後枠１０と見込み方向に間隔を隔ててほぼ平行に配置される前枠２４と、後枠１０および前枠２４の左右の端部に水平断面がＬ字状をなす枠連結材４により連結される２つの側枠３０と、外壁面３ａと交差する方向に突出し後枠１０と前枠２４との間に後枠１０側の高さが僅かに低くなるように傾斜して掛け渡され後枠１０および前枠２４に固定される梁４０と、梁４０の上に載置され前枠２４および２つの側枠３０にパネル支持部材５およびパネル押さえ部材６を介して保持される屋根パネル５０と、後枠１０、前枠２４および２つの側枠３０に囲まれた領域をそれらの下端側にて覆う軒天６０と、２つの側枠３０にそれぞれ取り付けられた固定金具５７間に掛け渡され、各固定金具５７と梁４０とに固定されて軒天６０の外壁面３ａ側の部位が固定される後軒天アタッチメント６５と、前枠２４に固定されて軒天６０の屋外側端部が固定される前軒天アタッチメント７０と、後枠１０に一体に設けられた樋１１の上方を覆うカバー部材８０と、前枠２４および２つの側枠３０の外周に取り付けられる化粧材９０、９１と、を有している。
【００２０】
後枠１０は、アルミニウム製の押出成型材であり、図５に示すように、上下方向のほぼ中央に樋１１を備え、樋１１の下に梁４０の端部が当接されて固定される梁固定部１２と梁固定部１２の下に軒天６０の外壁面３ａ側の端部と外壁面３ａとの間を塞ぐ軒天壁側部１３が設けられている。また、樋１１の屋外側の先端には屋根パネル５０の外壁面３ａ側端部が収容される屋根パネル収容部１４が設けられ、樋１１の外壁面３ａ側端部は屋根パネル５０より上方に延出された延出部１５を有しており、延出部１５の上端にカバー部材が係合される係合部１６とカバー部材８０が固定されるカバー固定部１７とが設けられている。
【００２１】
本実施形態の後枠１０は、図３〜図５に示すように、躯体３ｂに固定されて外壁面３ａから庇ユニット１の左右方向における中央と左右の端部近傍との３箇所にて上下に２本ずつ突出されたアンカーボルト７により固定される。外壁面３ａから突出された各アンカーボルト７には、庇ユニット１を取り付けた際に、アンカーボルト７周辺の外壁面に負荷が集中しないように外形形状が大きな保護プレート８が螺着されている。ここで、躯体３ｂに庇ユニット１を取り付けるためのアンカーボルト７を左右方向における３箇所としたが、これに限らず、アンカーボルトは庇ユニットの左右方向における幅に応じて適宜設けられていればよい。
【００２２】
上下に配置された２本のアンカーボルト７のうちの上側のアンカーボルト７は延出部１５を貫通してナット９により取り付けられ、下側のアンカーボルト７は梁固定部１２を貫通してナット９により取り付けられる。このとき、後枠１０を貫通するアンカーボルト７には、緩みを防止するために２つのナット９が締め込まれている。また、梁固定部１２に固定される梁４０は、梁固定部１２を貫通し隣り合う２本のアンカーボルト７の間にそれぞれ配置されているので、梁４０とアンカーボルト７とは干渉しない。
【００２３】
後枠１０は、アンカーボルト７に螺着された保護プレート８に当接される延出部１５および梁固定部１２の外壁面３ａと対向する面が同一平面をなす上外壁面対向部１５ａおよび下外壁面対向部１２ａを有し、上外壁面対向部１５ａおよび下外壁面対向部１２ａとの間には、屋外側に向かってほぼ水平に突出されて樋１１の底をなす樋底部１１ａと、樋底部１１ａの先端が上方に立ち上がりその上部に設けられクッション材２９を介して屋根パネル５０が載置されるパネル載置部１８と、パネル載置部１８の外壁面３ａ側に設けられ屋根パネル５０の縁を収容するパネル収容部１４と、パネル載置部１８とパネル収容部１４との間に設けられ下方に窪む溝部１９とを有している。溝部１９は、パネル収容部１４に浸入した水を受けるように設けられている。
【００２４】
樋底部１１ａの上側に設けられる延出部１５は、樋底部１１ａの外壁面３ａ側の縁と繋がった上外壁面対向部１５ａの上端が屋外側に延出され、屋外側の先端部が上方に立ち上がった立上部１５ｂを有し、立上部１５ｂ上に上外壁面対向部１５ａの上端より高い位置に水平な面を備えてカバー部材８０が載置されるとともに固定されるカバー固定部１７が設けられている。カバー固定部１７上の水平な面は立上部１５ｂよりも外壁面３ａ側に延出された係合部１６が設けられており、この係合部１６にカバー部材８０に設けられたフック部８１が係合される。このため、係合部１６と外壁面３ａとの間隔は、フック部８１が有する爪部８２の長さより広く形成されている。ここで、カバー固定部１７上の水平な面を上外壁面対向部１５ａの上端より高い位置としたが、屋根パネル５０の上面より上であれば構わない。
【００２５】
樋底部１１ａの下側に設けられる梁固定部１２は、下外壁面対向部１２ａの上下に、矩形状をなす梁４０の外壁面３ａ側の小口の上部４０ａおよび小口の下部４０ｂが当接される小口上部当接部１２ｂおよび小口下部当接部１２ｃと、梁４０の外壁面３ａ側の上面４０ｃおよび下面４０ｄが当接される上面当接部１２ｄおよび下面当接部１２ｅとが、梁４０の傾斜に合わせて設けられている。ここで、梁４０は梁固定部１２に、後述する後ブラケット５６を介して固定されるため、梁固定部１２に取り付けられる後ブラケット５６と梁４０の外壁面３ａ側の小口とが干渉しないように、小口上部当接部１２ｂおよび小口下部当接部１２ｃは下外壁面対向部より屋外側に配置されている。
【００２６】
上面当接部１２ｄは樋底部１１ａより僅か下位置して樋底部１１ａと繋がっており、屋外側に突出している下面当接部１２ｅは、下外壁面対向部１２ａより外壁面３ａ側に延出されて外壁面３ａに当接し、その先端が下方に延出されて外壁面３ａに当接される外壁面当接部２０をなしている。外壁面当接部２０の下端は軒天６０の下面より下まで延出されており、下端が屋外側に延出され、屋外側の端部が上方に立ち上げられて、その上端が軒天６０の端部と対向するように設けられている。
【００２７】
前枠２４は、図６に示すように、外壁面３ａおよび後枠１０とほぼ平行な鉛直面をなす前板部２５と、前板部２５の上端から屋外側に突出されて正面の化粧材（前化粧材）９０が固定される上化粧材固定部２６と、前板部２５の下端から屋外側に突出される下屋外延出部２７と、を有している。下屋外延出部２７には、前板部２５の下端と軒天６０の屋外側の端部との間を塞ぐ軒天前側部材２８がビス止めされている。前板部２５の上部側には梁４０が固定されるため、下部より厚く形成されて補強されている。
【００２８】
梁４０は、図７に示すように、押し出し成形部材であり、断面が矩形状をなし長手方向に連通する中空部を有する梁本体４１と、中空部を形成する梁本体４１の左右の壁部４１ａを延長するように梁本体４１より上方に延出された２つの上方延出部４２と、２つの上方延出部４２の上縁から互いに対抗する側と反対側に各々、梁本体４１の左右の壁部４１ａとほぼ直角に延出されて屋根パネル５０が載置されるパネル載置部４３と、を有している。梁本体４１の長手方向における両端部には上方延出部４２およびパネル載置部４３は設けられておらず、上方延出部４２およびパネル載置部４３より先端側に梁本体４１が突出している。すなわち、梁４０の長手方向において後枠１０側の上方延出部４２およびパネル載置部４３が設けられていない部位が、梁４０の高さが中央側より低い段差部４４に相当する。
【００２９】
図３、図５に示すように、梁４０の壁部４１ａの外壁面３ａ側の端部には、梁４０の壁部４１ａに沿って隣接し互いに対向する端部対向板部４５と、端部対向板部４５の上縁を連結する上連結部４６と、がコ字状をなし、上連結部４６上に屋根パネル５０を介して載置されるカバー部材８０が固定される鋼製のカバー固定部材４７がビス止めされている。
【００３０】
梁４０は、図３、図４に示すように、２つの側枠３０間をほぼ三等分する位置に配置され後枠１０と前枠２４とにそれぞれ、例えば、鋼製またはアルミニウム製の前ブラケット５５および後ブラケット５６を介して後枠１０に固定されている。すなわち、梁４０は、後ブラケット５６、後枠１０およびアンカーボルト７を介して躯体３ｂに取り付けられている。ここで、梁４０は、躯体３ｂに取り付けられていれば、本実施形態のように、後ブラケット５６、後枠１０およびアンカーボルト７などの部材を介して間接的に取り付けられていても、梁４０が直接躯体３ｂに取り付けられていても構わない。
前ブラケット５５は、梁４０の屋外側の小口に挿入され壁部４１ａに沿って隣接し互いに対向する前対向板部５５ａと、前対向板部５５ａの屋外側の縁を連結する前連結部５５ｂと、がコ字状をなし、前連結部５５ｂが前枠２４に固定され、前対向板部５５ａに各々、梁４０の壁部４１ａがビス止めされている。
【００３１】
後ブラケット５６は、図７に示すように、後枠１０の梁固定部１２に当接されてビス止めされる板状の後枠固定部５６ａと、後枠固定部５６ａの屋外側の面から屋外側に向かって突出され梁４０の壁部４１ａに沿って隣接し互いに対向する後対向板部５６ｂと、を有している。後枠固定部５６ａは、小口上部当接部１２ｂおよび小口下部当接部１２ｃに小口が当接された梁４０と干渉しない厚みをなし、２つの後対向板部５６ｂより左右方向に突出させて形成されており、左右に突出した部位にて後枠１０の梁固定部１２に固定されている。
【００３２】
側枠３０は、図８に示すように、押し出し成形部材であり、断面が縦長の長方形状をなし長手方向に連通する中空部を有する側枠本体３１と、側枠３０の下端部と軒天６０との間に設けられ側枠本体３１の下面に固定される側枠アタッチメント３５を位置決めするための位置決め突起３２と、を有している。側枠アタッチメント３５は、側枠３０とほぼ同じ長さを有し、左右方向における一方の端部が側枠本体３１の下面にビス止めされる側枠固定部３５ａをなし、他方の端部が、軒天６０の端部を載置する軒天載置部３５ｂをなしている。また、側枠アタッチメント３５の後枠側には、樋１１と連通する竪樋９４が貫通する開口が設けられており、竪樋９４は開口を貫通して後枠１０の樋１１の下面に連結されるとともに外壁面３ａに沿って設けられた縦桟９５等の装飾材内に配置されている。
【００３３】
軒天６０は、後枠１０の軒天壁側部１３と軒天前側部材２８とに渡るように、見込み方向に長い短冊状をなす複数の軒天材６１が左右方向に並べられて構成されている。各軒天材６１の左右方向における一方の端部６１ａは隣接する軒天材６１と係合することにより支持され、他方の端部６１ｂが後軒天アタッチメント６５および前軒天アタッチメント７０にそれぞれ固定されている。
【００３４】
後軒天アタッチメント６５は、２つの側枠３０に掛け渡されて固定されるとともに
図５に示すように、梁４０の下面にも固定されている。後軒天アタッチメント６５には、後枠１０の軒天壁側部１３と軒天前側部材２８とに渡たる各軒天材６１が軒天壁側部１３と軒天前側部材２８との間の後枠１０側にて下方からビス止めされる。前軒天アタッチメント７０は、図６に示すように、軒天前側部材２８に固定されて、軒天前側部材２８上に配置された各軒天材６１の上面と近接して対向する上対向面部７１に、各軒天材６１が下方からビス止めされる。
【００３５】
屋根パネル５０は、図３に示すように、矩形状平板状をなし、梁４０のパネル載置部４３に載置されて支持されるとともに、後枠１０側の端部にてパネル載置部１８に支持されて後枠１０側の縁がパネル収容部１４に保持され、前枠２４および２つの側枠３０に固定されるパネル支持部材５およびパネル押さえ部材６によって上下から挟持されている。屋根パネル５０は取り付けられた状態で、建物３に向かって高さが低くなるように傾斜している。
【００３６】
前化粧材９０は、前枠２４に屋外側から被せるように設けられ上化粧材固定部２６にビス止めされる。左右２つの側化粧材９１は、左右の側枠３０に側方からそれぞれ被せるように設けられ側枠本体３１に上方向からビス止めされる。前化粧材９０と側化粧材９１とは、それらの間にコーナーキャップ９３を介して連結される。化粧材９０は、前枠２４または左右の側枠３０に取り付けられて、前枠２４および左右の側枠３０の上縁および下縁から突出する上下の突出部９０ａ、９１ａを備え、上下の突出部９０ａ、９１ａの間に設けられた鉛直の壁部９０ｂ、９１ｂに外装仕上げが施されている。前化粧材９０と側化粧材９１とは、互いの端部が４５度に切断されて、切断された端部にてコーナーキャップ９３を挟持するように当接された状態でビス止めされている。
【００３７】
化粧材９０、９１は、庇ユニット１の意匠に応じて、様々な形状にて構成可能であり、また、前枠２４および左右の側枠３０に被せてビス止めする構成としたので、化粧材９０、９１を変更することにより異なる意匠の庇ユニット１を構成することが可能であり、取り付けおよび交換も容易である。
【００３８】
カバー部材８０は、図５に示すように、後枠１０のカバー固定部１７上に載置される載置板部８３と、載置板部８３と繋がって外壁面３ａ側に設けられ後枠１０の係合部１６に係合されるフック部８１と、屋根パネル５０上に載置されるパネル側板部８４と、載置板部８３とパネル側板部８４との間を傾斜面にて連結する傾斜板部８５と、を有している。カバー部材８０は、外壁面３ａに沿う左右方向においてほぼ屋根パネル５０と同じ幅を有し、載置板部８３が後枠１０のカバー固定部１７に所定の間隔を開けて複数箇所(本実施形態では６箇所)にてビス止めされている。
【００３９】
パネル側板部８４は、屋根パネル５０とともに貫通され、防水処理が施されているボルト５８にて、梁４０に設けられたカバー固定部材４７および左右の側枠３０にそれぞれ固定された支持金具８９に固定されている。すなわち、後枠１０のパネル収容部１４に保持された屋根パネル５０の外壁側の部位と屋根パネル５０と後枠１０との間にて上方が開放された樋１１の上方がカバー部材８０に覆われている。カバー部材８０が取り付けられた後には、カバー部材８０のフック部８１と外壁面３ａとの間にシール材７９が充填されている。
【００４０】
カバー部材８０のパネル側板部８４には、傾斜板部８５の下端側の部位に繋がって切り欠かれた切り欠き部８６が設けられている。この切り欠き部８６は、屋根パネル５０上であって、カバー部材８０より屋外側の水が屋根パネル５０の傾斜に沿ってカバー部材８０側に流れてきたときに樋１１に至らせるための流路をなしている。また、傾斜板部８５の左右方向における両端部に樋１１を清掃するための開口８７が設けられており、開口８７にはグロメット８８が装着されている。
【００４１】
本実施形態の庇ユニット１によれば、屋根パネル５０が載置される梁４０が、外壁面３ａに向かって高さが低くなる傾斜を備えているので、屋根パネル５０を傾斜させるための部材を用いることなく屋根パネル５０を梁４０上に載置するだけで、建物３に向かって高さが低くなる屋根面を形成することが可能である。
【００４２】
また、梁４０に載置された屋根パネル５０は建物３に向かって高さが低くなるように傾斜しているので、上部が開放された樋１１を、屋根パネル５０と外壁面３ａとの間に外壁面３ａに沿って設けることが可能である。このため、建物３の外壁面３ａから離れた位置に竪樋を設ける必要はなく、外壁面３ａに沿わせて目立ちにくい位置に設けることが可能である。また、本実施形態のように、外壁面３ａに沿って設けられる縦桟９５内に竪樋９４を配置することにより竪樋９４は外部に露出しない。このため、より意匠性に優れた庇ユニット１を提供することが可能である。ここで、竪樋９４が外部に露出しないように設けられる装飾材は、縦桟９５に限らず、たとえば、玄関脇などに設けられる袖壁や面格子等であっても、外壁面に沿って配置される竪樋を覆うことができれば構わない。
【００４３】
また、外壁面３ａに沿って設けられた樋１１を覆うカバー部材８０は、屋根パネル５０より高い位置にて建物３側と係合し、樋１１の上方を覆って梁４０を支持するので、屋根パネル５０を支持する部材を別途設けることなくカバー部材８０により屋根パネル５０を建物３側に支持させることが可能である。
【００４４】
また、カバー部材８０は上部が開放された樋１１上を覆っているので、樋１１の長さと同じ幅に設けられており、庇のほぼ全幅に亘って設けられる。このため、幅広いカバー部材８０により、高い強度にて庇を支持することが可能である。すなわち、下から支持する柱や上から支持するアーム材のような、庇を支持するだけの部材を外部に露出させて設けることなく、意匠性に優れ庇の下の空間を有効に使用することが可能な庇ユニット１を提供することが可能である。
【００４５】
また、梁４０の高さが低い段差部４４に樋１１を配置したので、樋１１を梁４０の上にそのまま配置した場合より庇の上下方向の厚みを薄く抑えることが可能である。また、カバー部材８０は、庇の上下方向の厚みとなる化粧材９０、９１と化粧材９０、９１が取り付けられる前枠２４、側枠３０とほぼ同じ高さの後枠１０の上部に設けられた係合部１６に係合されて梁４０を支持するように構成されている。すなわち、カバー部材８０も、庇の上下方向における厚み内に納まるように構成されているので、カバー部材８０が地上に立つ人からは視認されない。このため、より意匠性に優れた庇ユニット１を提供することが可能である。
【００４６】
また、カバー部材８０は、躯体３ｂに固定されて梁４０が当接される後枠１０の、屋根パネル５０より上方に延出された延出部１５の上端側に設けられた係合部１６に係合されているので、建物３の外部から容易に取り付けることが可能であり、後枠１０を介してカバー部材８０を躯体３ｂにて支えることが可能である。また、後枠１０は外壁面３ａに沿って配置されているので、カバー部材８０を外壁面３ａに沿う広い範囲で支えることが可能である。このため、後枠１０を介して躯体３ｂに支持されたカバー部材８０により梁４０を強固に支持することが可能である。
【００４７】
上述したようにカバー部材８０は、カバー部材８０が庇の上下方向の厚み内に納まるように構成されているので、従来の庇より上方の外壁等に固定されて庇を支持するアームと比較して、屋外側にて固定される部材（本実施形態では梁４０）に対するカバー部材８０が係合されている位置が低い。このため、屋外側にて固定される位置を屋外側（前枠２４側）に配置すると、カバー部材がほぼ平坦な形状となり、庇に作用する上下方向の荷重にも弱くなる。このため、カバー部材８０の梁４０に対する固定位置を、樋１１の上方を覆う位置であって、樋１１と屋根パネル５０との境界近傍に設け、傾斜板部８５と梁４０とがなす角度を作用する荷重への抗力が大きくなるように設定している。
【００４８】
また、例えば積雪などにより庇ユニット１に上方から力が作用すると、梁４０の外壁面３ａ側の上面４０ｃが後枠１０の上面当接部１２ｄに当接され、梁４０の小口の下部４０ｂが後枠１０の小口下部当接部１２ｃに当接されることにより、梁４０の先端が下がるような下方への倒れが規制されるので、上方からの荷重に対するより高い荷重性能を備えることが可能である。
【００４９】
また、例えば突風などにより庇ユニット１に下方から力が作用すると、梁４０の外壁面３ａ側の下面４０ｄが後枠１０の下面当接部１２ｅに当接され、梁４０の小口の上部４０ａが後枠１０の小口上部当接部１２ｂに当接されることにより、梁４０の先端が上昇するような上方への倒れが規制されるので、下方からの荷重に対するより高い荷重性能を備えることが可能である。
【００５０】
また、樋１１は、後枠１０と一体に形成されているので、部材を少なくすることが可能であり、施工が容易で、かつ、部材の管理もし易い庇ユニット１を提供することが可能である。
【００５１】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５２】
１  庇ユニット、３  建物、３ａ  外壁面、３ｂ  躯体、１０  後枠、１１  樋、
１２ｂ  小口上部当接部、１２ｃ  小口下部当接部、１２ｄ  上面当接部、
１２ｅ  下面当接部、１５  延出部、４０  梁、４０ａ  小口の上部、
４０ｂ  小口の下部、４０ｃ  梁の上面、４０ｄ  梁の下面、４４  段差部、
５０  屋根パネル、８０  カバー部材、９４  竪樋、９５  縦桟
【図１】
2015140527.tif 000003
【図２】
2015140527.tif 000004
【図３】
2015140527.tif 000005
【図４】
2015140527.tif 000006
【図５】
2015140527.tif 000007
【図６】
2015140527.tif 000008
【図７】
2015140527.tif 000009
【図８】
2015140527.tif 000010